【事件の表示】
　特許第２９４３０４８号「合成樹脂製ピルファープルーフキャップ」の請求項１ないし７に係る特許に対する特許異議の申立てについて、次のとおり決定する。
【結　論】
　訂正を認める。
　特許第２９４３０４８号の請求項１ないし５に係る特許を維持する。
【理　由】
Ｉ．手続の経緯
　
　特許第２９４３０４８号の請求項１ないし５に係る発明についての手続の経緯は、およそ次のとおりである。
（１）特許出願　平成６年８月６日
（２）特許権の設定の登録　平成１１年６月２５日
（３）特許掲載公報の発行　平成１１年８月３０日
（４）瀬川忠世より特許異議の申立て　平成１２年２月２８日
（５）西博幸より特許異議の申立て　平成１２年２月２９日
（６）丹羽久卓より特許異議の申立て　平成１２年２月２８日
（７）特許の取消理由の通知（第１回目）の発送　平成１２年７月２８日
（８）特許権者より特許異議意見書の提出及び訂正請求（指定期間内）　平成１２年９月２６日
（９）特許権者より特許異議上申書及び実験結果を撮影したビデオテープの提出　平成１３年４月１６日
（１０）特許の取消理由の通知（第２回目）の発送　平成１３年６月８日
（１１）特許権者より前記（８）の訂正請求の取り下げ　平成１３年８月６日
（１２）特許権者より特許異議意見書の提出及び訂正請求（指定期間内）　平成１３年８月６日
　
ＩＩ．訂正の適否について
　
１．訂正の内容
　前記Ｉ．（１２）の訂正請求は、次のア〜カのとおり、明細書の記載を訂正することを求めるものである。
　ア　特許異議の申立てがされている特許請求の範囲の請求項１〜７について、訂正前の請求項１〜７の記載、すなわち、
「【請求項１】蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンが前記容器口部の開口内に密封可能に嵌入される中足を有することを特徴とする合成樹脂製ピルファープルーフキャップ。
【請求項２】蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンの上面又はこの上面に対向する前記蓋天板の下面に形成された空気溜り部を有することを特徴とする合成樹脂製ピルファープルーフキャップ。
【請求項３】蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンが前記容器口部の開口内に密封可能に嵌入される中足を有し、更に、前記密封用パッキンの上面又はこの上面に対向する前記蓋天板の下面に形成された空気溜り部を有することを特徴とする合成樹脂製ピルファープルーフキャップ。
【請求項４】パッキン案内部が、蓋本体と一体に、又は別体に形成された環状突条からなる請求項１ないし請求項３のいずれかに記載の合成樹脂製ピルファープルーフキャップ。
【請求項５】パッキン案内部が、キャップねじ部の一部である請求項１ないし請求項３のいずれかに記載の合成樹脂製ピルファープルーフキャップ。
【請求項６】閉栓時に、内容物を密封した密封容器内が容器外部に対して減圧状態となる請求項２または請求項３に記載の合成樹脂製ピルファープルーフキャップ。
【請求項７】閉栓時に、内容物を密封した密封容器内が容器外部に対して加圧状態あるいは密封容器内の内圧が容器外部と同圧の状態となる請求項１または請求項３に記載の合成樹脂製ピルファープルーフキャップ。」
を、訂正明細書の請求項１〜５の記載、すなわち、
「【請求項１】蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンが前記容器口部の開口内に密封可能に嵌入される中足を有し、更に、前記密封用パッキンの上面又はこの上面に対向する前記蓋天板の下面に形成された空気溜り部を有することを特徴とする合成樹脂製ピルファープルーフキャップ。
【請求項２】パッキン案内部が、蓋本体と一体に、又は別体に形成された環状突条からなる請求項１に記載の合成樹脂製ピルファープルーフキャップ。
【請求項３】パッキン案内部が、キャップねじ部の一部である請求項１に記載の合成樹脂製ピルファープルーフキャップ。
【請求項４】閉栓時に、内容物を密封した密封容器内が容器外部に対して減圧状態となる請求項１に記載の合成樹脂製ピルファープルーフキャップ。
【請求項５】閉栓時に、内容物を密封した密封容器内が容器外部に対して加圧状態あるいは密封容器内の内圧が容器外部と同圧の状態となる請求項１に記載の合成樹脂製ピルファープルーフキャップ。」
に訂正する。
　イ　発明の詳細な説明の段落【０００５】末行の記載について、訂正前の「中足を有する」を、訂正明細書の「中足を有し、更に、前記密封用パッキンの上面又はこの上面に対向する前記蓋天板の下面に形成された空気溜り部を有する」に訂正する。
　ウ　発明の詳細な説明の段落【０００６】、【０００７】の記載を削除する。
　エ　発明の詳細な説明の段落【００１３】末行に「併せて、前記パッキン９は、機密性の向上と共回り防止のために環状の中足１１を備えている。」を追加する。
　オ　発明の詳細な説明の段落【００１６】中の記載について、訂正前の「上記（Ｂ）で述べたような中足を備えたパッキンを用いてもよいし、上記（Ａ）で述べたように、パッキンの上面又はこの上面に対向する蓋天板の下面に空気溜り部を形成して少なくともパッキンの共回りを防止するようにしてもよい。」を、訂正明細書の「上記（Ｂ）で述べたような中足を備えたパッキンを用い、上記（Ａ）で述べたように、パッキンの上面又はこの上面に対向する蓋天板の下面に空気溜り部を形成して少なくともパッキンの共回りを防止する。」に訂正する。
  カ　発明の詳細な説明の段落【００１７】、【００３０】中の記載について、訂正前の「蓋天板の下面およびパッキンの上面側に空気層が形成されているので」を、訂正明細書の「蓋天板の下面およびパッキンの上面側に空気層が形成され、併せて中足が備わっているので」に訂正する。
　
２．訂正の目的の適否、新規事項の追加の有無及び特許請求の範囲の拡張・変更の存否
　アの訂正は、訂正前の請求項１〜７の記載において、その請求項１〜２を削除し、残る請求項３〜７を順次繰り上げたものであるから、特許請求の範囲の減縮を目的とするものに該当する。
　イ〜カの訂正は、アの訂正に整合させて、対応する発明の詳細な説明に所要の訂正を行うものであるから、明りょうでない記載の釈明を目的とするものに該当する。
　そして、これらの訂正は、いずれも願書に添付された明細書又は図面に記載された事項の範囲内においてされたものであり、また、訂正前の請求項１〜７に記載された事項により特定される発明の具体的な目的の範囲を逸脱してその技術的事項を変更するもの等に該当しないから、当該訂正は、特許請求の範囲を実質上拡張するものでも変更するものでもない。
　
３．むすび
　以上のとおりであるから、ア〜カの訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第第１項ただし書、第２項及び第３項の規定に適合するので、当該訂正を認める。
　
ＩＩＩ．特許異議の申立てについて
　
１．特許異議の申立ての理由の概要
　
（１）特許異議申立人瀬川忠世は、後記の甲第１号証ないし甲第２号証を提出し、次の（サ）及び（シ）の理由により、訂正前の本件請求項１ないし７に係る特許は取り消されるべきものであると主張している。なお、特許異議申立書の証拠方法欄において、甲第２号証を「実開平２−９３２５０号公報」としているのは、添付書類から見て、同号公開実用新案公報に係る実用新案登録出願の願書に添付した明細書及び図面の内容を撮影したマイクロフィルムを意味するものと解されるので、甲第２号証を後記のとおりのものと認める。また、甲第１号証については、部分翻訳文及び参考資料として全文翻訳文が提出されている。
　（サ）訂正前の請求項１、３に係る発明は、甲第１号証及び甲第２号証の各刊行物に記載された発明に基づいて、本件出願前に当業者が容易に発明をすることができたものであるから、特許法第２９条第２項の規定により特許を受けることができないものである。
　（シ）訂正前の請求項２、４ないし７に係る発明は、甲第１号証刊行物に記載された発明であるか、又は甲第１号証及び甲第２号証の各刊行物に記載された発明に基づいて、本件出願前に当業者が容易に発明をすることができたものであるから、特許法第２９条第１項第３号の規定に該当し又は同条第２項の規定により、特許を受けることができないものである。
【証拠方法】
　甲第１号証：米国特許５,０３１,７８７号明細書（以下「刊行物１」という。）
　甲第２号証：実願昭６３−１７０２０５号（実開平２−９３２５０号）のマイクロフィルム（以下「刊行物２」という。）
　
（２）特許異議申立人西博幸は、後記の甲第１号証ないし甲第１２号証を提出し、次の（ス）の理由により、訂正前の本件請求項１ないし７に係る特許は取り消されるべきものであると主張している。なお、特許異議申立書の証拠方法欄において、甲第４号証を「実開平５−３４１４８号公報」としているのは、添付書類から見て、同号公開実用新案公報に係る実用新案登録出願の願書に添付した明細書及び図面の内容を記録したＣＤ−ＲＯＭを意味するものと解されるので、甲第４号証を後記のとおりのものと認める。
  （ス）訂正前の請求項１ないし７に係る発明は、甲第１号証、甲第２号証又は甲第３号証の各刊行物に記載された発明であるか、又は甲第１号証ないし甲第１２号証の各刊行物に記載された発明に基づいて、本件出願前に当業者が容易に発明をすることができたものであるから、特許法第２９条第１項第３号の規定に該当し又は同条第２項の規定により、特許を受けることができないものである。
【証拠方法】
　甲第１号証：欧州特許出願公開第２６１０４７号明細書（以下「刊行物３」という。）
　甲第２号証：欧州特許出願公開第２６９９２０号明細書（以下「刊行物４」という。）
　甲第３号証：仏国特許公報第８３０９４４７号（以下「刊行物５」という。）
　甲第４号証：実願平３−８０５５５号（実開平５−３４１４８号）のＣＤ−ＲＯＭ（以下「刊行物６」という。）
　甲第５号証：実公平２−３９９５３号公報（以下「刊行物７」という。）
　甲第６号証：特公平３−４３１５０号公報（以下「刊行物８」という。）
　甲第７号証：特公平４−２２７９４号公報（以下「刊行物９」という。）
　甲第８号証：実公平５−１３７３５号公報（以下「刊行物１０」という。）
　甲第９号証：特公平４−４２２５５号公報（以下「刊行物１１」という。）
　甲第１０号証：特公平３−７５４２４号公報（以下「刊行物１２」という。）
　甲第１１号証：実開昭６２−２５６５５号公報（以下「刊行物１３」という。）
　甲第１２号証：特公昭４２−２３４７２号公報（以下「刊行物１４」という。）
　
（３）特許異議申立人丹羽久卓は、後記の甲第１号証ないし甲第３号証を提出し、次の（セ）の理由により、訂正前の本件請求項１ないし７に係る特許は取り消されるべきものであると主張している。なお、特許異議申立書の証拠方法欄において、甲第１号証を「実開平５−３４１４８号全文明細書写し」とし、甲第３号証を「実開平６−１２３５１号全文明細書写し」としているのは、添付書類から見て、それぞれ同号公開実用新案公報に係る実用新案登録出願の願書に添付した明細書及び図面の内容を記録したＣＤ−ＲＯＭを意味するものと解され、また、甲第２号証を「実開昭６２−２５６５５号全文明細書写し」としているのは、添付書類から見て、同号公開実用新案公報に係る実用新案登録出願の願書に添付した明細書及び図面の内容を撮影したマイクロフィルムを意味するものと解されるので、甲第１号証ないし甲第３号証を後記のとおりのものと認める。
　（セ）訂正前の請求項１ないし７に係る発明は、甲第１号証ないし甲第３号証の各刊行物に記載された発明に基づいて、本件出願前に当業者が容易に発明をすることができたものであるから、特許法第２９条第２項の規定により、特許を受けることができないものである。
【証拠方法】
　甲第１号証：実願平３−８０５５５号（実開平５−３４１４８号）のＣＤ−ＲＯＭ（特許異議申立人西博幸提出の甲第４号証と同じ。以下「刊行物６」という。）
　甲第２号証：実願昭６０−１１５１１８号（実開昭６２−２５６５５号）のマイクロフィルム（特許異議申立人西博幸提出の甲第１１号証の公開実用新案公報に係る実用新案登録出願の願書に添付した明細書及び図面の内容を撮影したマイクロフィルムに相当する。以下「刊行物１５」という。）
　甲第３号証：実願平５−２５７８０号（実開平６−１２３５１号）のＣＤ−ＲＯＭ（以下「刊行物１６」という。）
　
２．本件発明
　本件特許の請求項１ないし５に係る発明（以下「本件請求項１ないし５に係る発明」という。）は、前記ＩＩ．１．アに摘記した訂正明細書の特許請求の範囲の請求項１ないし５に記載された事項により特定されるとおりのものであるところ、段落を付して本件請求項１に係る発明を分説すれば次のとおりである。本件請求項２ないし５に係る発明は、いずれも請求項１を引用するものである。
　「蓋天板およびこの蓋天板の周縁から垂下する周壁から構成され、該周壁の内周面に、容器口部の外周面に形成された容器ねじ部と螺合するキャップねじ部を有する蓋本体と、
　複数のブリッジを介して前記蓋本体と一体的に連接されたピルファープルーフバンドと、
　閉栓時に、前記容器口部を密封するよう設けられた密封用パッキンとからなり、
　開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、
　前記密封用パッキンが前記容器口部の開口内に密封可能に嵌入される中足を有し、
　更に、前記密封用パッキンの上面又はこの上面に対向する前記蓋天板の下面に形成された空気溜り部を有する
　ことを特徴とする合成樹脂製ピルファープルーフキャップ。」
　
３．特許異議申立人瀬川忠世の異議申立ての理由についての判断
　
（１）刊行物１の記載を図面を参照しながら総合すると、同刊行物には、いわゆるフローティングディスク型の容器キャップに関して、次のａ〜ｂの事項が記載されていると認められる（その記載中、本件請求項１に係る発明における用語に相当する用語については、本件請求項１に係る発明における用語を用いた。以下刊行物２〜１６の記載について同じ。）。
　ａ　「頂部リップ27及びこの頂部リップ27の周縁から垂下する周壁28から構成され、周壁28の内周面に、容器口部15の外周面に形成された容器ねじ部16と螺合するキャップねじ部29を有する外周シェル26と、
　複数のブリッジ38を介して外周シェル26と一体的に連接されたピルファープルーフバンド34と、
　閉栓時に、容器口部15を密封するよう設けられた密封用パッキン54と、
　外周シェル26とは別に形成され、これの内部に頂部リップ27の下面に当接して支持され、かつ密封用パッキン54の上面に接合されたトップ又はインサートディスク25とからなり、
　開栓時に、ブリッジ38が切れるまでは密封用パッキン54による容器口部15の密封を保持し、ブリッジ38が切れると密封用パッキン54に接合したトップ又はインサートディスク25の周縁部53に当接して、これを容器口部上方に持ち上げうる案内部48を周壁28の内周面に有する
　ピルファープルーフキャップ12。」
　ｂ　「案内部48が、外周シェル26の周壁28の内周面に形成された連続ビードであることやキャップねじ部29の一部であること、及びピルファープルーフキャップ12は、これによって閉栓し内容物を密封した密封容器の内部が容器外部に対して減圧状態となる態様で使用されること。」
　
（２）刊行物２の記載を図面を参照しながら総合すると、同刊行物には、次のｃ〜ｄの事項が記載されていると認められる。
　ｃ　「蓋天板5及び蓋天板5の周縁から垂下する周壁4から構成され、周壁4の内周面に、容器口部2の外周面に形成された容器ねじ部と螺合するキャップねじ部3を有する蓋本体6と、
　複数のブリッジ15を介して蓋本体6と一体的に連接されたピルファープルーフバンド16と、
　閉栓時に、容器口部2を密封するよう設けられた中栓11（フランジ部8、筒部9、底部10及び内方突出部12を有する。）とからなり、
　開栓時に、ブリッジ15が切れるまでは中栓11による容器口部2の密封を保持し、ブリッジ15が切れる前後を通じて中栓11の内方突出部12に当接して、ブリッジ15が切れた状態において、中栓11を容器口部上方に持ち上げうる外方突出部14を蓋天板5の下面にある環状垂下部13の外壁に有する合成樹脂製ピルファープルーフキャップ。」
　ｄ　「前記合成樹脂製ピルファープルーフキャップが、開閉栓時に、蓋本体6と中栓11とを同時に開け閉めできるものであること、及び蓋本体6の回転に対し中栓11がフリーになるように寸法設計すると、中栓11が蓋本体6の回転に伴わずに蓋本体6と共に上昇するようにできること。」
　
（３）前記異議申立ての理由（サ）、（シ）について
（i）前示のとおり訂正前の請求項１〜２は削除されたので、請求項１ないし２に係る特許に対する異議申立てはその対象が存在しないものとなった。訂正前の請求項３〜７は訂正明細書の請求項１〜５に対応するので、以下本件請求項１に係る発明及び請求項１を引用する本件請求項２ないし５に係る発明について、異議申立ての理由を検討する。
（ii）刊行物１には前記ａのとおりのピルファープルーフキャップが記載されているが、同刊行物には、同キャップについて、それが合成樹脂製であることを除いて、本件請求項１に係る発明を特定する次の事項Ａ〜Ｄが記載されていないと認められる。
　【事項Ａ】蓋本体を蓋天板およびこの蓋天板の周縁から垂下する周壁から構成すること。
　【事項Ｂ】密封用パッキンが容器口部の開口内に密封可能に嵌入される中足を有すること。
　【事項Ｃ】密封用パッキンの上面又はこの上面に対向する蓋天板の下面に形成された空気溜り部を有すること。
　【事項Ｄ】パッキン案内部が密封用パッキンの周縁部に当接すること。
　刊行物２には前記ｃのとおり、蓋本体が蓋天板およびこの蓋天板の周縁から垂下する周壁から構成されるピルファープルーフキャップが記載されている。しかし、この記載と刊行物１のフローティングディスク型の容器キャップに関する前記ａの記載とを結びつける契機は何もない。したがって、両刊行物の記載からは、前記ａのピルファープルーフキャップ12において、事項Ａの「蓋本体を蓋天板およびこの蓋天板の周縁から垂下する周壁から構成する」ものとするという着想は得られない。
　刊行物２の前記ｃにいう中栓11は、容器口部2のシール機能を有しているものではあっても、底部10を有し、その筒部9は中足とは到底言えないから、中栓11は中足を有する密封用パッキンに相当しない。したがって、刊行物１〜２の記載からは、前記ａのピルファープルーフキャップ12において、事項Ｂの「密封用パッキンが容器口部の開口内に密封可能に嵌入される中足を有する」ものとするという着想は得られない。また、当然ながら、刊行物２には、事項Ｃの「密封用パッキンの上面又はこの上面に対向する蓋天板の下面に形成された空気溜り部を有すること」について記載されていない。
　刊行物２の前記ｃの記載からは、開栓時に、ブリッジ15が切れるまでは中栓11による容器口部2の密封を保持し、ブリッジ15が切れる前後を通じて中栓11の内方突出部12に当接して、ブリッジ15が切れた状態において、中栓11を容器口部上方に持ち上げうるパッキン案内部14を蓋天板5の下面にある環状垂下部13の外壁に設けることが知られる。しかし、この中栓11は中足を有する密封用パッキンに相当せず、中栓11の持ち上げ機構も、刊行物１の前記ａのトップ又はインサートディスク25の持ち上げ機構とは全く相違し、しかも、前説示したように、刊行物１の記載と刊行物２のそれとを結びつける契機がない上、刊行物１の図２〜３を見ても明らかなように、前記ａのピルファープルーフキャップ12においては、パッキン案内部48を密封用パッキン54の周縁部に当接させる余地はないから、両刊行物の記載からは、前記ａのピルファープルーフキャップ12において、事項Ｄの「パッキン案内部が密封用パッキンの周縁部に当接する」ものとするという着想は得られない。
（iii）そして、本件請求項１に係る発明は、事項Ａ〜Ｄをすべて具備し、これらとその他の発明を特定する事項とが相まって、当該合成樹脂製ピルファープルーフキャップを用いて閉栓した密封容器の内容物を減圧、加圧、同圧のいずれの状態で保持する場合でも、該容器の開栓に際して、密封用パッキンの共回りを防止して、ブリッジが切れるまで気密性を保持するという、訂正明細書記載の顕著な作用効果を奏するものであると認められる。このことは、前記Ｉ．（８）の特許異議意見書の「（５）事実関係の裏付け証拠の提示について」の記載及び前記Ｉ．（９）の「実験結果を撮影したビデオテープ」の記録内容からも認められる。
　請求項１を引用する請求項２ないし５に係る発明についても同様である。
（iv）以上のとおりであるから、本件請求項１ないし５に係る発明は、刊行物１〜２に記載された発明ではなく、また、両刊行物の記載から当業者が容易に想到し得たものでもない。
　したがって、前記異議申立ての理由（サ）、（シ）はいずれも失当である。
　
４．特許異議申立人西博幸の異議申立ての理由についての判断
　
（１）刊行物３の記載を図面を参照しながら総合すると、同刊行物には、次のｅの事項が記載されていると認められる。なお、図中、付番5は、ストッパー（stopper）を出し入れ自在に収容する場所（lodging）を指しているものである。
　ｅ　「蓋天板4及び蓋天板4の周縁から垂下する周壁1から構成され、周壁1の内周面に、容器口部12の外周面に形成された容器ねじ部13と螺合するキャップねじ部2を有する蓋本体と、
　複数のブリッジ8を介して前記蓋本体と一体的に連接されたピルファープルーフバンド7と、
　閉栓時に、容器口部12を密封するよう設けられたストッパーとからなり、
　開栓時に、ブリッジ8が切れると前記ストッパーの周縁部9に当接して、これを前記容器口部上方に持ち上げうる案内部（キャップねじ部2の一部）を周壁1の内周面に有するとともに、
　前記ストッパーが容器口部12の開口内に嵌入される中足（円すい状首部、conical neck）10を有し、
　更に、前記ストッパーを容器口部12に密着させるために蓋天板4の中央部分に設けた突起（convex raised part）6により、前記ストッパーの上面又はこの上面に対向する蓋天板4の下面に形成された空気溜り部を有する
　ピルファープルーフキャップ。」
　
（２）刊行物４〜６には、ピルファープルーフキャップにおいて、開栓時に、ブリッジが切れるまでは密封用パッキンによる容器口部の密封を保持することが記載されている。
　刊行物５には、さらに、容器口部の開口内に密封可能に嵌入される中足（スカート部、la jupe）17を有する密封用パッキン（le joint）13を備えるピルファープルーフキャップが記載されている。しかし、同刊行物記載のものでは、図３、６に見られるように、開栓時、突条15が密封用パッキン13の周縁部に当接してこれを容器口部上方に持ち上げるようにはなっていない。
　刊行物７〜１０には、合成樹脂製ピルファープルーフキャップにおいて、閉栓時に、容器口部の密封を保持するように密封用パッキンを設けることが記載されている。
　刊行物１０には、さらに、密封用パッキンの上面又はこの上面に対向する蓋天板の下面に空気溜り部を有する合成樹脂製ピルファープルーフキャップが記載されている（第１図参照）。
　刊行物１１、１２には、容器口部の開口内に密封可能に嵌入される中足を有する密封用パッキンを備えるピルファープルーフキャップが記載されている（刊行物１１の第６図、刊行物１２の７欄及び第７図参照）。
　刊行物１３には、蓋天板の下面と中栓の上面に空気溜り部を有する中栓（容器口部の開口内に密封可能に嵌入される中足を有する。）付きキャップが記載されている（第７図参照）。
　刊行物１４には、容器口部の開口内に密封可能に嵌入される中足を有する密封用パッキンを備えるキャップが記載されている（第４〜７図参照）。
　
（３）前記異議申立ての理由（ス）について
（i）前示のとおり訂正前の請求項１〜２は削除されたので、請求項１ないし２に係る特許に対する異議申立てはその対象が存在しないものとなった。訂正前の請求項３〜７は訂正明細書の請求項１〜５に対応するので、以下本件請求項１に係る発明及び請求項１を引用する本件請求項２ないし５に係る発明について、異議申立ての理由を検討する。
（ii）刊行物３には前記ｅのとおりのピルファープルーフキャップが記載されている。しかし、ここにいう「ストッパー」は、閉栓時に容器口部12を密封するように設けられたものではあるものの、蓋本体が容器口部12にねじ込まれ、さらには蓋天板4の中央部分に設けた突起6により容器口部12に密着されなどして初めてこれを密封するものであるから（同刊行物の３欄２８〜３７行参照）、これは、中足を有すること自体によって容器口部を密封するものである本件請求項１に係る発明にいう「容器口部の開口内に密封可能に嵌入される密封用パッキン」に相当するものではない。
　したがって、同刊行物には、同キャップについて、それが合成樹脂製であることを除いて、本件請求項１に係る発明を特定する次の事項Ｅ、Ｆ、Ｃ（事項Ｃは前記と同じ。）が記載されていないと認められる。
　【事項Ｅ】閉栓時に、容器口部を密封するように設けられ、かつ容器口部の開口内に密封可能に嵌入される中足を有する密封用パッキンを備えること。
　【事項Ｆ】開栓時に、ブリッジが切れるまでは密封用パッキンよる容器口部の密封を保持し、ブリッジが切れると密封用パッキンの周縁部に当接して、これを容器口部上方に持上げうるパッキン案内部を周壁の内周面に有すること。
　【事項Ｃ】密封用パッキンの上面又はこの上面に対向する蓋天板の下面に形成された空気溜り部を有すること。
　刊行物４〜６には、前記のとおり、ピルファープルーフキャップにおいて、事項Ｆの一部である「開栓時に、ブリッジが切れるまでは容器口部の密封を保持すること」が記載されているものの、そもそも、刊行物３の前記ｅにいうピルファープルーフキャップにおいては、ストッパーの中足の形状（円すい状）から見て、ブリッジ8が切れるまではストッパーによる容器口部12の密封が保持されるとは考えられず、また、刊行物３記載のものがそのことを意図しているとは認められないから、刊行物３の記載と刊行物４〜６のそれとを結びつける契機は何もないのである。
　したがってまた、たとえ、刊行物５、１１、１２、１４により、前記のとおり、容器口部の開口内に密封可能に嵌入される中足を有する密封用パッキンを備えるピルファープルーフキャップやキャップが知られ、刊行物１０、１３により、前記のとおり、密封用パッキンや中栓の上面又はこの上面に対向する蓋天板の下面に空気溜り部を有する合成樹脂製ピルファープルーフキャップやキャップが知られ、刊行物７〜１０により前摘記の事実が知られるとしても、これらのことと刊行物３の記載とを結びつける契機もやはりないのである。
（iii）そして、本件請求項１に係る発明は、事項Ｅ、Ｆ、Ｃをすべて具備し、これらとその他の発明を特定する事項とが相まって、当該合成樹脂製ピルファープルーフキャップを用いて閉栓した密封容器の内容物を減圧、加圧、同圧のいずれの状態で保持する場合でも、該容器の開栓に際して、密封用パッキンの共回りを防止して、ブリッジが切れるまで気密性を保持するという、訂正明細書記載の顕著な作用効果を奏するものと認められる。このことは、前記Ｉ．（８）の特許異議意見書の「（５）事実関係の裏付け証拠の提示について」の記載及び前記Ｉ．（９）の「実験結果を撮影したビデオテープ」の記録内容からも認められる。
　請求項１を引用する請求項２ないし５に係る発明についても同様である。
（iv）以上のとおりであるから、本件請求項１ないし５に係る発明は、刊行物３〜１４に記載された発明ではなく、また、これらの刊行物の記載から当業者が容易に想到し得たものでもない。
　したがって、前記異議申立ての理由（ス）は失当である。
　
５．特許異議申立人丹羽久卓の異議申立ての理由についての判断
　
（１）刊行物６の記載を図面を参照しながら総合すると、同刊行物には、次のｆの事項が記載されていると認められる。
　ｆ　「蓋天板10及び蓋天板10の周縁から垂下する周壁4から構成され、周壁4の内周面に、容器口部7の外周面に形成された容器ねじ部と螺合するキャップねじ部を有する蓋本体2と、
　複数のブリッジ5を介して前記蓋本体2と一体的に連接されたピルファープルーフバンド6と、
　閉栓時に、容器口部7を密封するよう設けられた密封用パッキン3とからなり、
　開栓時に、ブリッジ5が切れるまでは密封用パッキン3による容器口部7の密封を保持し、ブリッジ5が切れる前後を通じて密封用パッキン3の突条17に当接して、ブリッジ5が切れた状態において、密封用パッキン3を容器口部上方に持ち上げうる突起12を蓋天板10の内面中央部に有し、
　更に、密封用パッキン3の上面又はこの上面に対向する蓋天板10の下面に形成された空気溜り部15を有する
　ピルファープルーフキャップ1。」
　
（２）刊行物１５には、蓋天板の下面と中栓の上面に空気溜り部を有する中栓（容器口部の開口内に密封可能に嵌入される中足を有する。）付きキャップが記載され（第７図参照）、また、同キャップは、開栓時には、中栓とともに容器口部から外れることが記載されている（２頁参照）。
　刊行物１６には、合成樹脂製ピルファープルーフキャップ10において、蓋天板2の内面からピルファープルーフバンド5の係止爪9までの距離Ａと、密封用パッキン7の中心部の厚みＢと、密封用パッキン7の周辺部と中心部の厚みの差Ｃと、容器口部11天面から膨出部12下面までの距離Ｄと、容器口部11への密封用パッキン7のくい込み量Ｅとの各部寸法を、（Ｂ＋Ｃ＋Ｄ）＞Ａ＞（Ｂ＋Ｄ−Ｅ）の関係とすることが記載されている。
　
（３）前記異議申立ての理由（セ）について
（i）前示のとおり訂正前の請求項１〜２は削除されたので、請求項１ないし２に係る特許に対する異議申立てはその対象が存在しないものとなった。訂正前の請求項３〜７は訂正明細書の請求項１〜５に対応するので、以下本件請求項１に係る発明及び請求項１を引用する本件請求項２ないし５に係る発明について、異議申立ての理由を検討する。
（ii）刊行物６には、前記ｆのとおりのピルファープルーフキャップが記載されているが、同刊行物には、同キャップについて、それが合成樹脂製であることを除いて、本件請求項１に係る発明を特定する次の事項Ｆ、Ｂ（事項Ｆ、Ｂとも前記と同じ。）が記載されていない。
　【事項Ｆ】開栓時に、ブリッジが切れるまでは密封用パッキンによる容器口部の密封を保持し、ブリッジが切れると密封用パッキンの周縁部に当接して、これを容器口部上方に持上げうるパッキン案内部を周壁の内周面に有すること。
　【事項Ｂ】密封用パッキンが容器口部の開口内に密封可能に嵌入される中足を有すること。
　刊行物１５には、前記のとおり、容器口部の開口内に密封可能に嵌入される中足を有する中栓の付いたキャップが記載されているが、この記載と刊行物６の前記ｆの記載とを結びつける契機はない。
　また、刊行物１５、１６の記載からは事項Ｆは導かれない。
（iii）そして、本件請求項１に係る発明は、事項Ｆ、Ｂをすべて具備し、これらとその他の発明を特定する事項とが相まって、当該合成樹脂製ピルファープルーフキャップを用いて閉栓した密封容器の内容物を減圧、加圧、同圧のいずれの状態で保持する場合でも、該容器の開栓に際して、密封用パッキンの共回りを防止して、ブリッジが切れるまで気密性を保持するという、訂正明細書記載の顕著な作用効果を奏するものと認められる。このことは、前記Ｉ．（８）の特許異議意見書の「（５）事実関係の裏付け証拠の提示について」の記載及び前記Ｉ．（９）の「実験結果を撮影したビデオテープ」の記録内容からも認められる。
　請求項１を引用する請求項２ないし５に係る発明についても同様である。
（iv）以上のとおりであるから、本件請求項１ないし５に係る発明は、刊行物６、１５、１６に記載された発明ではなく、また、これらの刊行物の記載から当業者が容易に想到し得たものでもない。
　したがって、前記異議申立ての理由（セ）は失当である。
　
ＩＶ．むすび
　
　以上のとおりであるから、それぞれの特許異議の申立ての理由及び証拠によっては、本件請求項１ないし５に係る特許を取り消すことはできない。
　また、他に本件請求項１ないし５に係る特許を取り消すべき理由を発見しない。
　よって、結論のとおり決定する。
【異議決定日】
平成１３年９月７日（２００１．９．７）
【訂正の要旨】
訂正の要旨
　特許第２９４３０４８号発明の明細書について、次のとおり訂正する。
（１）特許請求の範囲の減縮を目的として、訂正前の明細書の請求項１〜７の記載、すなわち、
「【請求項１】蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンが前記容器口部の開口内に密封可能に嵌入される中足を有することを特徴とする合成樹脂製ピルファープルーフキャップ。
　【請求項２】蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンの上面又はこの上面に対向する前記蓋天板の下面に形成された空気溜り部を有することを特徴とする合成樹脂製ピルファープルーフキャップ。
　【請求項３】蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンが前記容器口部の開口内に密封可能に嵌入される中足を有し、更に、前記密封用パッキンの上面又はこの上面に対向する前記蓋天板の下面に形成された空気溜り部を有することを特徴とする合成樹脂製ピルファープルーフキャップ。
　【請求項４】パッキン案内部が、蓋本体と一体に、又は別体に形成された環状突条からなる請求項１ないし請求項３のいずれかに記載の合成樹脂製ピルファープルーフキャップ。
　【請求項５】パッキン案内部が、キャップねじ部の一部である請求項１ないし請求項３のいずれかに記載の合成樹脂製ピルファープルーフキャップ。
　【請求項６】閉栓時に、内容物を密封した密封容器内が容器外部に対して減圧状態となる請求項２または請求項３に記載の合成樹脂製ピルファープルーフキャップ。
　【請求項７】閉栓時に、内容物を密封した密封容器内が容器外部に対して加圧状態あるいは密封容器内の内圧が容器外部と同圧の状態となる請求項１または請求項３に記載の合成樹脂製ピルファープルーフキャップ。」
を、訂正明細書の請求項１〜５の記載、すなわち、
「【請求項１】蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンが前記容器口部の開口内に密封可能に嵌入される中足を有し、更に、前記密封用パッキンの上面又はこの上面に対向する前記蓋天板の下面に形成された空気溜り部を有することを特徴とする合成樹脂製ピルファープルーフキャップ。
　【請求項２】パッキン案内部が、蓋本体と一体に、又は別体に形成された環状突条からなる請求項１に記載の合成樹脂製ピルファープルーフキャップ。
　【請求項３】パッキン案内部が、キャップねじ部の一部である請求項１に記載の合成樹脂製ピルファープルーフキャップ。
　【請求項４】閉栓時に、内容物を密封した密封容器内が容器外部に対して減圧状態となる請求項１に記載の合成樹脂製ピルファープルーフキャップ。
　【請求項５】閉栓時に、内容物を密封した密封容器内が容器外部に対して加圧状態あるいは密封容器内の内圧が容器外部と同圧の状態となる請求項１に記載の合成樹脂製ピルファープルーフキャップ。」
に訂正する。
　（２）明りょうでない記載の釈明を目的として、発明の詳細な説明の記載を次のように訂正する。
　・段落【０００５】末行の「中足を有する」を、「中足を有し、更に、前記密封用パッキンの上面又はこの上面に対向する前記蓋天板の下面に形成された空気溜り部を有する」に訂正する。
　・段落【０００６】、【０００７】の記載を削除する。
　・段落【００１３】末行に「併せて、前記パッキン９は、機密性の向上と共回り防止のために環状の中足１１を備えている。」を追加する。
　・段落【００１６】中の「上記（Ｂ）で述べたような中足を備えたパッキンを用いてもよいし、上記（Ａ）で述べたように、パッキンの上面又はこの上面に対向する蓋天板の下面に空気溜り部を形成して少なくともパッキンの共回りを防止するようにしてもよい。」を、「上記（Ｂ）で述べたような中足を備えたパッキンを用い、上記（Ａ）で述べたように、パッキンの上面又はこの上面に対向する蓋天板の下面に空気溜り部を形成して少なくともパッキンの共回りを防止する。」に訂正する。
　・段落【００１７】、【００３０】中の「蓋天板の下面およびパッキンの上面側に空気層が形成されているので」を、「蓋天板の下面およびパッキンの上面側に空気層が形成され、併せて中足が備わっているので」に訂正する。
（５４）【発明の名称】
合成樹脂製ピルファープルーフキャップ
（５７）【特許請求の範囲】
　【請求項１】　蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンが前記容器口部の開口内に密封可能に厭人される中足を有
し、更に、前記密封用パッキンの上面又はこの上面に対向する前記蓋天板の下面に形成された空気溜り部を有
　【
請求項２
求項１に記
　【
請求項３
求項１に記
　【
請求項４
求項１に記
　【
請求項５
求項１に記
【発明の詳細な説明】
　【０００１】
　【産業上の利用分野】
　この発明は、飲料用瓶等の容器の口部に被せられる合成樹脂製ピルファープルーフキャップに関するものである。
　【０００２】
　【従来の技術】
　従来、容器の密封用パッキン（以下パッキンという）を有するピルファープルーフキャップとして、パッキンが蓋本体の蓋天板の内面の所定位置に保持されており、キャップの開栓時には、パッキンが蓋本体と同時に持ち上げられてパッキンによる容器の密封を解除するようにしたものが提案されている（特公昭６２−１８４２１号公報参照）。
　【０００３】
　【発明が解決しようとする課題】
　しかし、このような構成では、キャップが全開しないまでも、いたずら等により開栓動作が行われる、いわゆる、ちょい回しがなされると、キャップを容器口部に機械的に係止するためのバンドを保持するブリッジが切れてもいないのにパッキンがキャップと共に持上ったり、もしくは、持上がらないまでもパッキンの共回りにより、容器の密封が解除されて気密漏れが生じてしまうおそれがある。
　そして、この種キャップは、（１）内容物を密封した密封容器内が容器外部に対して加圧状態となったり、（２）密封容器内の内圧が容器外部と同じ状態となって、パッキンを容器口部に密着させ続けたりする場合に使用されたり、また、この種キャップが、（３）高温液体を充填した容器や、液体充填後高温処理が付される容器の密封に使用され、室温まで冷却された際、その密封容器内が減圧状態となって容器内部に発生した真空によってパッキンを容器口部に密着させ続ける場合には容器充填物の保護の観点からして好ましくない。例えば、上記（１）の場合は、ガス漏れが生じたり、上記（２）及び（３）の場合には、外気と共に雑菌が入り易く、そのために、上記上記（１）、（２）及び（３）共、内容物の変質や腐敗を生じ易い。
　【０００４】
　この発明は、上記問題に鑑みてなしたもので、その目的は、簡単な構成で、開栓時に、少なくともパッキンの共回りを防止でき、かつブリッジが切れるまでは容器の密封を保持できる合成樹脂製ピルファープルーフキャップを提供することにある。
　【０００５】
　【課題を解決するための手段】
　上記目的を達成するために、この発明の合成樹脂製ピルファープルーフキャップは、蓋天板およびこの蓋天板の周縁から垂下する周壁から構成され、該周壁の内周面に、容器口部の外周面に形成された容器ねじ部と螺合するキャップねじ部を有する蓋本体と、複数のブリッジを介して前記蓋本体と一体的に連接されたピルファープルーフバンドと、閉栓時に、前記容器口部を密封するよう設けられた密封用パッキンとからなり、開栓時に、前記ブリッジが切れるまでは前記密封用パッキンによる前記容器口部の密封を保持し、前記ブリッジが切れると前記密封用パッキンの周縁部に当接して、これを前記容器口部上方に持上げうるパッキン案内部を前記周壁の内周面に有するとともに、前記密封用パッキンが前記容器口部の開口内に密封可能に嵌入される中足を有
し、更に、前記密封用パッキンの上面又はこの上面に対向する前記蓋天板の下面に形成された空気溜り部を有
　【０００６】
　【０００７】
　【０００８】
　この発明におけるパッキン案内部としては、蓋本体の周壁の内周面に設けられ、密封用パッキンの周縁部に当接する環状突条からなるものを挙げることができる。すなわち、この環状突条は、閉栓時に、密封用パッキンを蓋本体の蓋天板下面側に保持した状態で容器口部に蓋本体を装着できるように機能するものであって、蓋本体を閉栓方向に回転させ、キャップねじ部が容器ねじ部に沿って移動することで蓋天板下面と環状突条間で、かつ該環状突条に保持されている前記密封用パッキンにより容器口部を密封できる。また、この環状突条は、開栓時に、キャップねじ部が容器ねじ部に沿って移動しても、少なくともブリッジが切れるまでは密封用パッキンによる容器口部の密封を保持し、前記ブリッジが切れると密封用パッキンを前記容器口部上方に持上げうるように機能するものであって、例えば、図１、図４に示すように、キャップねじ部５と蓋天板１との間に蓋天板１の下面から所定距離Ｄ離れた位置に蓋本体１と一体に設けたり、また、同じ位置に蓋本体と別体に形成してもよい。すなわち、このパッキン案内部としての環状突条は、ブリッジが切れるまでは密封用パッキンにより容器の密封を保持できる様にし、前記ブリッジが切れると、この密封用パッキンを持上げて開封することができる。
　【０００９】
　さらに、既存のキャップねじ部の最上位部分を上記した所定距離Ｄを考慮して環状突条に代用することも可能である。
　【００１０】
　この発明における密封用パッキンとしては、紙、合成樹脂材等の通常使用されるものからなるものを挙げることができる。
　【００１１】
　そして、この密封用パッキン（以下、単にパッキンという）は、
▲１▼　高温液体を充填し、または、液体充填後高温処理が付され、その後室温まで冷却した際に密封容器が減圧状態となる場合、
　【００１２】
▲２▼　内容物を密封した密封容器内が容器外部に対して加圧状態となる場合、
▲３▼　密封容器内の内圧が容器外部と同圧の状態となる場合、
　に使用される。
　【００１３】
　この発明において、
（Ａ）　まず、上記▲１▼で述べたように減圧状態で内容物を保持する場合は、開栓時に、少なくともパッキンの共回りを防止するために、パッキンの上面又はこの上面に対向する蓋天板の下面に空気溜り部１２を形成する。例えば、図２に示されているように、パッキン９の上面には、分割片１４上で、その円周方向（Ｈ方向）に同心円状に形成されたそれぞれ複数の溝１３と、各分割片１４により囲まれた円形の凹部１５と、分割片１４，１４間の隙間Ｎとからなる空気溜り部１２が形成されている。そして、閉栓時に元々蓋天板１の下面とパッキン９間には空気層が存在しているけれども、この発明では、図２に示すように、容器口部３の外周面の容器ねじ部４に隙間Ｍを形成し、この隙間Ｍを通った空気ａが分割片１４，１４間の隙間Ｎからこの凹部１５および分割片１４の溝１３に流入することにより、閉栓時に積極的に蓋天板１の下面およびパッキン９の上面間に空気層を形成するのが好ましい。また、この空気層への空気ａを、容器ねじ部４に形成されている隙間Ｍを通して凹部１５および分割片１４の溝１３に流入させる代わりに、キャップねじ部５に隙間を形成することで流入させるようにしてもよい。
併せて、パッキン９は、気密性の向上と共回り防止のために環状の中足１１を備えている。
　【００１４】
（Ｂ）　次に、上記▲２▼で述べたように加圧状態で内容物を保持する場合は、開栓時に、パッキンの共回りを防止するために、容器口部の開口内に密封可能に嵌入される中足１１を備えたパッキン９を用いる。例えば、図１、図２に示されているように、パッキン９の下面には、環状の中足１１が形成されている。この中足１１の嵌入長Ｌは、気密性を向上させるために以下のように形成するのが好ましい。
　【００１５】
　すなわち、この発明においては、中足の嵌入長Ｌは、蓋天板１の下面から環状突条１０の上端までの長さＤ以上（Ｌ≧Ｄ）に設定するのが気密性の向上と共回り防止の点で好ましい。このように、中足の嵌入長Ｌを長さＤと同じか、または、これより長くすることにより、開栓時、蓋本体６の上方移動に伴い、パッキン９も一体的に上方移動するけれども、ブリッジが切れるまでの間は、その位置で気密を保持している。
　【００１６】
　なお、この発明においては、密封容器内の内圧が容器外部と同圧の状態となる場合は、上記（Ｂ）で述べたような中足を備えたパッキ
ンを用い、上記（
止する
　【００１７】
　【作用】
　減圧状態で内容物を保持する容器の密封に使用される合成樹脂製ピルファープルーフキャップの場合には、高温液体を充填したり、または、液体充填後高温処理を付した後、室温まで冷却した際に減圧状態となり、容器内部にバキュームが発生し、これによりパッキンは特にこれを持上げる力が生じない限り、容器口部を密封し続けることになる。従って、いたずら等によりキャップが全開しない程度に開栓動作が行われても、ブリッジの伸びを考慮して少なくともこれが切れるまでの間はパッキンの上面又はこの上面に対向する蓋天板の下面に設けた空気溜り部により蓋天板の下面およびパッキンの上面間に空気層が形成され
、併せて中足が備わっ
　【００１８】
　加圧状態で内容物を保持する場合には、容器口部の開口内に密封可能に嵌入される中足を備えたパッキンを用いているので、いたずら等によりキャップを全開しない程度に開栓動作が行われても、少なくともパッキンの共回りを防止でき、これにより容器内部の気密性を保持できる。そして、少なくともブリッジが確実に切れた後に、パッキン案内部によって、シール中のパッキンを蓋本体と共に持上げ、容器を開封できる。
　【００１９】
　【実施例】
　以下、この発明に係る合成樹脂製ピルファープルーフキャップの一実施例を図面に基づいて説明する。なお、それによってこの発明は限定を受けるものではない。
　図１〜図３において、合成樹脂製ピルファープルーフキャップ（以下、キャップという）Ｃは、平面視円形状の蓋天板１およびこの蓋天板１の周縁から垂下する周壁２から構成され、周壁２の内周面２ａに、容器口部３の外周面３ａに形成された容器ねじ部４と螺合するキャップねじ部５を有する蓋本体６と、複数のブリッジ７，７を介して蓋本体６と一体的に連接されたピルファープルーフバンド（以下、ＰＰバンドという）８，８と、閉栓時に、容器口部３を密封するよう設けられた密封用パッキン９と、周壁２の内周面２ａにおけるキャップねじ部５と蓋天板１との間に設けられ、それによって、開栓時に、ブリッジ７が切れるまではパッキン９を該パッキン９による容器口部３の密封を保持し、ブリッジ７が切れると該パッキン９を容器口部３の上方に持上げうるパッキン案内部１０を有するとともに、密封用パッキン９が容器口部３の開口３ｂ内に密封可能に嵌入される環状の中足１１を有し、更に、密封用パッキン９の上面９ａに形成され、閉栓時に、容器口部３の外周面３ａから空気ａが流入する空気溜り部１２を有する。
　【００２０】
　図２において、パッキン９の上面に形成された空気溜り部１２は、分割片１４，１４，１４上に円周方向（Ｈ方向）に同心円状にそれぞれ形成された複数の溝１３と、各分割片１４により囲まれた円形の凹部１５と、分割片１４，１４間の隙間Ｎとからなる。そして、閉栓時に、容器口部３の外周面３ａの容器ねじ部４，４間に形成されている隙間Ｍを通った空気ａが分割片１４，１４間の隙間Ｎからこの円形の凹部１５および分割片１４の溝１３に流入することにより、蓋天板１の下面１ａおよびパッキン９の上面９ａ間に空気層Ｓが形成される。
　【００２１】
　また、パッキン９の下面に形成された環状の中足１１は、気密性の向上と共回り防止のためのものであって、この中足１１の嵌入長Ｌは、蓋天板１の下面からパッキン案内部１０の上端までの長さＤ以上（Ｌ≧Ｄ）に設定されている。
　【００２２】
　更に、パッキン案内部１０は、蓋天板１の周壁２の内周面２ａに沿って蓋本体６と一体に形成された環状突条からなる。この環状突条１０は、上述したように、蓋天板１の下面から距離Ｄ離れた位置に設けられている。また、このキャップＣは、例えば、ポリエチレン又はポリプロピレン等の熱可塑性合成樹脂を用いて、例えば、射出成形等適宜の方法によって成形されるキャップであり、複数のブリッジ７…が周壁２の下端部２０から適宜の間隔をおいて下方に垂設され、ＰＰバンド８がこれらブリッジ７…によって保持されている。そして、ＰＰバンド８の下端は、適度に弾性を有するように内方に折り返されて、かつ間隔をおいて複数の突起２１に形成されている。これら突起２１は、キャップＣが容器口部３に完全に装着された状態において、容器口部３に周設された肩部２２の下方係止部２２ａにその遊端側を当接させることにより、ＰＰバンド８を容器口部３に機械的に係止するものである。また、周壁２の外周面２ｂには適宜のセレーションが形成してある。なお、図１において、容器ねじ部４およびキャップねじ部５はそれぞれ連続した一連のものであるが、開栓動作の説明上、便宜的に複数記載している。
　【００２３】
　この実施例のものは上記構成を有するから、図４に示すような、（Ａ）減圧状態で内容物を保持する容器の密封に使用される合成樹脂製ピルファープルーフキャップＣの場合には、閉栓状態から、図５に示すように、蓋本体６に開栓回転方向に回転力を加え開栓を行うと、ブリッジ７の伸びを考慮して少なくともこれが切れるまでの間はパッキン９の上面９ａに容器口部３の外周面３ａ（図２参照）から空気ａが流入する空気溜り部１２により蓋天板１の下面１ａおよびパッキン９の上面９ａ間に空気層Ｓが形成されている上に、パッキン９が容器口部３の開口３ｂ内に密封可能に嵌入される環状の中足１１を有するので、いたずら等によりキャップＣを全開しない程度の開栓動作が行われても、パッキン９の共回りを確実に防止でき、これにより容器内部の気密性を保持できる。そして、少なくともブリッジ７が確実に切れた後に、パッキン９の周縁部に当接するパッキン案内部１０によって、上記のバキュームシール中のパッキン９を蓋本体６と共に持上げ、容器口部３を開封できる。
　【００２４】
　このように本実施例では、開栓時に、ブリッジ７…が切れるまではパッキン９を容器口部３に対して密封を保持するように構成したので、ちょい回しがなされても、ブリッジ７…が切れない限りパッキン９が蓋本体１と共回りせず持上がることは無くなる。
　【００２５】
　なお、図４に示すような、（Ａ）減圧状態で内容物を保持する容器の密封に使用される合成樹脂製ピルファープルーフキャップの場合に代えて、（Ｂ）加圧状態で内容物を保持する容器の密封に使用される合成樹脂製ピルファープルーフキャップの場合でも、上記実施例と同様の構成、あるいは、パッキンが容器口部の開口内に密封可能に嵌入される所定長の中足を有する構成にすると、上記実施例と同様の効果を奏する。
　【００２６】
　なお、上述の実施例は蓋本体とＰＰバンドとがブリッジ等によって一体的に連結された所謂ワンピースタイプのＰＰキャップであったが、この発明は蓋本体とＰＰバンドとが別々に成形され、容器口部に装着する前に一体化して使用される所謂ツーピースタイプのＰＰキャップにも適用することができる。
　【００２７】
　また、空気溜り部の変形例として、図６および図７に示すものがある。図６において、パッキンの上面には、径方向（Ｒ方向）にそれぞれ複数の溝１３を有する分割片１４と、各分割片１４により囲まれた円形の凹部１５が形成されている。図７においては、パッキンの上面に形成された円形の凹部１５が、それぞれ粗面を有する分割片１４により囲まれている。
　【００２８】
　勿論、この発明の空気溜り部として、蓋天板の下面にも、図２、図６および図７に示したものと同様のものを形成してもよい。
　【００２９】
　また、分割片として、上述したような、円周方向（Ｈ方向）に同心円状に溝を形成したものや、径方向（Ｒ方向）に溝を形成したもの、あるいは、粗面であるものの他に、碁盤状の溝（いわゆる、ローレット状の溝）を備えたものであってもよく、要は、パッキンの共回りを防止できるものであればよい。
　【００３０】
　【発明の効果】
　以上説明したように、この発明の合成樹脂製ピルファープルーフキャップは、減圧状態で内容物を保持する容器の密封に使用される合成樹脂製ピルファープルーフキャップの場合には、高温液体を充填したり、または、液体充填後高温処理を付した後、室温まで冷却した際に減圧状態となり、容器内部にバキュームが発生し、これによりパッキンは特にこれを持上げる力が生じない限り、容器口部を密封し続けることになる。従って、いたずら等によりキャップを全開しない程度に開栓動作が行われても、ブリッジの伸びを考慮して少なくともこれが切れるまでの間はパッキンの上面又はこの上面に対向する蓋天板の下面に形成された空気溜り部により蓋天板の下面およびパッキンの上面間に空気層が形成され
、併せて中足が備わっ
　【００３１】
　加圧状態で内容物を保持する場合には、容器口部の開口内に密封可能に嵌入される中足を備えたパッキンを用いているので、いたずら等によりキャップを全開しない程度に開栓動作が行われても、パッキンの共回りを防止でき、これにより容器内部の気密性を保持できる。そして、少なくともブリッジが確実に切れた後に、パッキンの周縁部に当接するパッキン案内部によって、シール中のパッキンを蓋本体と共に持上げ、容器を開封できる。
　【００３２】
　したがって、簡単な構成で、ちょい回しがなされても容器の密封を維持でき、内容物を確実に保護できる効果がある。
【図面の簡単な説明】
　【図１】
　この発明に係る合成樹脂製ピルファープルーフキャップの一実施例における閉栓状態を示す構成説明図である。
　【図２】
　上記実施例における分解斜視図である。
　【図３】
　上記実施例における閉栓状態を示す一部切欠き斜視図である。
　【図４】
　上記実施例における閉栓状態を示す構成説明図である。
　【図５】
　上記実施例における開栓途中の状態を示す構成説明図である。
　【図６】
　上記実施例におけるパッキンの変形例を示す斜視図である。
　【図７】
　上記実施例におけるパッキンの他の変形例を示す斜視図である。
　【符号の説明】
　１…蓋天板、２…蓋天板の周壁、２ａ…周壁の内周面、３…容器口部、３ａ…容器口部の外周面、４…容器ねじ部、５…キャップねじ部、６…蓋本体、７…ブリッジ、８…ピルファープルーフバンド、９…密封用パッキン、１０…環状突条、１１…中足、１２…空気溜り部、１３…溝、１４…分割片、１５…凹部、ａ…空気、Ｍ，Ｎ…隙間、Ｓ…空気層。